(57)【特許請求の範囲】
【請求項１】
シリンダ部と、該シリンダ部に対して軸方向に移動自在に配設され、該シリンダ部との間に作動油室を形成するピストン部材と、前記シリンダ部に対して前記軸方向に位置決めされる支持プレートと、を備え、前記作動油室に供給される油圧に基づき摩擦板の係脱を行う摩擦係合要素用油圧サーボに用いられ、前記ピストン部材と前記支持プレートとの間に配設されるスプリングユニットにおいて、
前記スプリングユニットは、
コイルバネよりなり、座巻部及び該座巻部から立ち上がる立上部を有する複数のリターンスプリングと、
複数の前記リターンスプリングの一端が固定されている環状の座金と、
環状の平板部及び該平板部より突出し前記リターンスプリングの他端の内径部に係着する複数の凸部をもつスプリングリテーナと、を備え、
前記スプリングリテーナの複数の凸部のうちの少なくとも１つの凸部は、前記リターンスプリングを装着係止する装着係止凸部であり、
該装着係止凸部は１つの方形片で形成され、かつ前記リターンスプリングの他端の内径部に前記リターンスプリングの周方向に間隔を隔て当接する２つの係止接触部を有し、
各前記係止接触部は、前記平板部からの高さ方向に間隔を隔てて配置される前記平板部に近い下方係止突部と前記平板部から遠い上方係止突部とをそれぞれ有し、前記上方係止突部と前記下方係止突部との間に上方谷部をそれぞれ有し、かつ前記下方係止突部と前記平板部との間に下方谷部をそれぞれ有し、
前記装着係止凸部の幅において、両方の前記上方係止突部間の距離（Ｌ１）及び両方の前記下方係止突部間の距離（Ｌ２）は前記リターンスプリングの内径（Ｄ１）よりも幅広に形成され、両方の前記下方谷部間の距離（Ｌ３）は前記内径（Ｄ１）よりも幅狭に形成され、
前記装着係止凸部に装着係止される前記リターンスプリングは、
両方の前記係止接触部の前記下方谷部に前記座巻部が位置する状態、
一方の前記係止接触部の前記下方谷部に前記座巻部が位置し、かつ他方の前記係止接触部の前記下方谷部に前記立上部が位置する状態、
または、一方の前記係止接触部の前記下方谷部に前記座巻部が位置し、かつ他方の前記係止接触部の前記上方谷部に前記立上部が位置する状態のいずれかにあることを特徴とするスプリングユニット。
【発明の詳細な説明】
【技術分野】
【０００１】
本発明は、車両用自動変速機の伝達経路を形成する摩擦係合要素用の油圧サーボ等に用いられるスプリングユニットに関する。
【背景技術】
【０００２】
一般に、車両用自動変速機などに用いられる多板式クラッチ用油圧サーボは、底部にシリンダ部が形成されたクラッチドラム内に、軸方向に摺動自在なピストン部材と、スナップリングにより軸方向に移動が規制された支持プレートと、該ピストン部材と該支持プレートとの間に縮設されたコイル状のリターンスプリングとを有する。このリターンスプリングはコイルバネよりなる複数個で構成され、複数のこれらリターンスプリングの一端が固定されている環状の座金と、複数のこれらリターンスプリングの他端に位置している前記座金と対面し前記複数のリターンスプリングの他端の内径部に係着するようにスプリングリテーナの平板部より突出している複数の凸部をもつスプリングリテーナと、を備えたスプリングユニットとして組み付けられている。
【０００３】
このスプリングユニットを構成する、スプリングとリテーナを比較的容易に一体化するために、リテーナの複数の凸部のうちの少なくとも１つの凸部の先端部分に、スプリングの内径より幅広で、かつ該リターンスプリングの内径部に嵌合し得る幅広部を有しているものが使用されている。
【０００４】
このスプリングユニットは、リテーナの複数の凸部のうちに、少なくとも１つの先端幅広部を有する凸部があり、スプリングユニットを組み立てる際に、スプリングがその先端幅広部を乗り越えて係着させている。これにより、リテーナがスプリングから離脱するためには、凸部の先端幅広部を通り抜ける必要があり、大きな離脱抵抗を伴う。このため、例えば外部よりスプリングユニットに対して衝撃等が生じた場合でも、スプリングとリテーナとが離脱したり、又は組付け位置がずれてしまうことを防ぐことができる。
【先行技術文献】
【特許文献】
【０００５】
【特許文献１】特開２００７−１２７１６４号公報
【発明の概要】
【発明が解決しようとする課題】
【０００６】
しかし、上記従来の車両用自動変速機の伝達経路を形成する摩擦係合要素用の油圧サーボに用いられるスプリングユニットは、スプリングリテーナの複数の凸部のうちの少なくとも１つの凸部の先端部分に、リターンスプリングの内径より幅広で、該リターンスプリングの内径部と当接して内径部が抜け出るのを阻止する幅広部を一個しか有していない。
【０００７】
リターンスプリングは、一般的に、座金上に位置する座巻部とこの座巻部から立ち上がる立上部とこれに続くコイル部とからなる。図７及び図８に、従来のスプリングユニットのリターンスプリングとスプリングリテーナの組付きの２つの状態を示す。図７（ａ）は、スプリングリテーナの凸部の幅広部の両側端にリターンスプリングの座巻部と立上部が組付いている状態を示し、図７（ｂ）はその拡大要部を示す。図８（ａ）は、スプリングリテーナの凸部の幅広部の両側端にリターンスプリングの座巻部がそれぞれ組付いている状態を示し、図８（ｂ）はその拡大要部を示す。
【０００８】
図８に示すように、スプリングリテーナの凸部の幅広部の両端にリターンスプリングの座巻部が掛かる状態の場合は特に問題にならない。スプリングの座巻部はリテーナの凸部の幅広部の両端で阻止され、スプリングの締め代が確保され、スプリングはリテーナの凸部から抜け出て離脱することはない。しかし、図７のようにスプリングリテーナの凸部の幅広部の両端にリターンスプリングの座巻部と立上部が掛かる状態の場合は問題になる。即ち、図７（ｂ）の状態でリターンスプリングが凸部から抜け出ようとすると、リターンスプリングの立上部が先に凸部の幅広部に当接して阻止される。この時リターンスプリングの座巻部は幅広部に当接していない。係る場合にリターンスプリングが凸部から抜け出ようとすると、リターンスプリングの座巻部と幅広部との間の間隔だけリターンスプリングが振れて移動し、凸部の幅広部による締め代が減少し、リターンスプリングが凸部より抜けて離脱しやすくなる。
【０００９】
本発明は、このような事情に鑑みて為されたものであり、リターンスプリングがスプリングリテーナの凸部から外れ難いスプリングユニットを提供することを目的とする。
【課題を解決するための手段】
【００１０】
そこで、本発明者はこの課題を解決すべく鋭意研究し、試行錯誤を重ねた結果、スプリングリテーナの複数の凸部のうちの少なくとも一つの凸部に、該リターンスプリングの内径部が係止される少なくとも二つの係止突部を高さ方向に設けることを思いつき、本発明を完成するに至った。
【００１１】
即ち、本発明のスプリングユニットは、シリンダ部と、該シリンダ部に対して軸方向に移動自在に配設され、該シリンダ部との間に作動油室を形成するピストン部材と、前記シリンダ部に対して前記軸方向に位置決めされる支持プレートと、を備え、前記作動油室に供給される油圧に基づき摩擦板の係脱を行う摩擦係合要素用油圧サーボに用いられ、前記ピストン部材と前記支持プレートとの間に配設されるスプリングユニットにおいて、前記スプリングユニットは、コイルバネよりなり、座巻部及び該座巻部から立ち上がる立上部を有する複数のリターンスプリングと、複数の前記リターンスプリングの一端が固定されている環状の座金と、環状の平板部及び該平板部より突出し前記リターンスプリングの他端の内径部に係着する複数の凸部をもつスプリングリテーナと、を備え、前記スプリングリテーナの複数の凸部のうちの少なくとも１つの凸部は、前記リターンスプリングを装着係止する装着係止凸部であり、該装着係止凸部は１つの方形片で形成され、かつ前記リターンスプリングの他端の内径部に前記リターンスプリングの周方向に間隔を隔て当接する２つの係止接触部を有し、各前記係止接触部は、前記平板部からの高さ方向に間隔を隔てて配置される前記平板部に近い下方係止突部と前記平板部から遠い上方係止突部とをそれぞれ有し、前記上方係止突部と前記下方係止突部との間に上方谷部をそれぞれ有し、かつ前記下方係止突部と前記平板部との間に下方谷部をそれぞれ有し、前記装着係止凸部の幅において、両方の前記上方係止突部間の距離（Ｌ１）及び両方の前記下方係止突部間の距離（Ｌ２）は前記リターンスプリングの内径（Ｄ１）よりも幅広に形成され、両方の前記下方谷部間の距離（Ｌ３）は前記内径（Ｄ１）よりも幅狭に形成され、前記装着係止凸部に装着係止される前記リターンスプリングは、両方の前記係止接触部の前記下方谷部に前記座巻部が位置する状態、一方の前記係止接触部の前記下方谷部に前記座巻部が位置し、かつ他方の前記係止接触部の前記下方谷部に前記立上部が位置する状態、または、一方の前記係止接触部の前記下方谷部に前記座巻部が位置し、かつ他方の前記係止接触部の前記上方谷部に前記立上部が位置する状態のいずれかにあることを特徴とする。
【００１２】
本発明のスプリングユニットにおいては、リターンスプリングが装着係止される凸部は、リターンスプリングの他端の内径部にリターンスプリングの周方向に間隔を隔て当接する複数の係止接触部を有する。この係止接触部は、リターンスプリングの座巻部または立上部を保持する下方係止突部とリターンスプリングの立上部を保持する上方係止突部とを有し、リターンスプリングの内径部を常にこの二つの係止突部のどちらかで係止している。このため装着係止されるリターンスプリングの部分がその座巻部の場合でもその立上部の場合でも常にいずれか一つの係止突部に係止されることになる。そして、リターンスプリングはその内径部でリターンスプリングの周方向に間隔を隔てた少なくとも２つの係止接触部で係止される。このため、少なくとも２つの係止接触部をもつ凸部に装着係止されたリターンスプリングは、常に２つ以上の係止突部で係止されることになり、スプリングの締め代が確保され、リターンスプリングはスプリングリテーナの凸部から容易に抜け出て離脱することはない。以下、リターンスプリングは、特に明記する場合を除き、スプリングと、スプリングリテーナは、特に明記する場合を除き、リテーナと称する。
【００１３】
本発明のスプリングユニットはスプリングと環状の座金とリテーナとで構成されている。これらのスプリングユニットの構成要素の中で、スプリングと環状の座金は従来のものと同じであり、従来のものをそのまま使用できる。また、リテーナもスプリングを装着係止する凸部を除き、従来のリテーナと同じである。即ち、本発明のスプリングユニットの構造上の特色は、リテーナのスプリングを装着係止する凸部にある。ここでスプリングを装着係止する凸部を装着係止凸部と称する。
【００１４】
装着係止凸部は、スプリングの内径部が係止される少なくとも二つの係止突部を平板部からの高さ方向に間隔を隔てて有する係止接触部を、スプリングの周方向に間隔を隔てて少なくとも二つ有する。
【００１５】
本発明のリテーナは、従来と同様に、環状の平板部を使用して得ることができる。例えば、この平板部の一方の面に、全てのスプリングの他端の座巻部が当接する部分を円錐台状に突出させ、これら突出部を凸部とすることができる。また、平板部の全てのスプリングの他端の座巻部が当接する部分をコ字形状に切り、環状の平板部に接続している一辺を９０度曲げて方形片として立ち上げる。この立ち上げた方形片を凸部とすることができる。装着係止凸部以外の円錐台状の突出部及び方形片は、スプリングの座巻部に挿入しやすい形状大きさのものとする必要がある。具体的には突出部の外周径及び方形片の幅は、スプリングの座巻部の内周壁で区画される直径より少し小さい幅のものとする。突出部及び方形片の頂部は、三角形あるいは円弧状に上側に突出するものとすることができる。
【００１６】
なお、１個のスプリングが装着される凸部は、１個の方形片で形成しても、図４及び図６に示すように、複数個の片で形成しても良い。複数個の片で形成する場合は、図４に示すように方形片を幅方向の中央線で２個に分割した２個の分割片で構成することもできる。なお、１個の方形片を２個の分割片で構成したように、１個の方形片を複数個の小片で構成することができる。
【００１７】
装着係止凸部の形成も基本的には通常の方形片の凸部の形成と同じである。平板部に切り込みを入れるコ字形状が異なる。例えば、コ字形状の上辺と下辺を互いに対称に接続している一辺から背向する辺に向かい直線状、突出した円弧状、直線状、突出した円弧状と波状の辺とするものである。この切り込みを立ち上げた方形片は、立ち上げ方向に延びる側端部分が波状となり、方形片の幅は立ち上げ部分から狭い幅の部分と広い幅の部分とが交互に繰り返されて上に延びるものとなる。狭い幅は、スプリングの座巻部の内周径より短く、広い幅の部分はスプリングの座巻部の内周径より長くなっている。この側端部が本発明の装着係止凸部の係止接触部を構成する。一個の方形片の両側の側端部がそれぞれ一個の係止接触部となり、一個の方形片は二個の係止接触部をもつものとなる。
【００１８】
参考例として装着係止凸部も係止機能を持たない凸部と同様に、複数個の小片で構成することができる。例えば１個の装着係止凸部を幅方向に２等分し、２個の分割片としても良い。この場合各分割片はそれぞれ一方の側端部分が係止接触部をもつものとなる。また、分割片に限らず、複数個の小片で構成することもできる。各小片はその側端部分の一方が係止接触部となるとか、小片の一面側が係止接触部となるものである必要がある。なお、１個の方形片の機能を担う複数個の小片は共同してスプリングの締め代を確保するものである。
【００１９】
なお、２個の係止接触部でスプリングの締め代を確保する場合、２個の係止接触部の互いに背向する係止突部の間隔はスプリングの内周径よりも大きい必要がある。３個以上の係止接触部でスプリングの締め代を確保する場合、各係止接触部の係止突部は係止されるスプリングの内周円より外側に突出したものである必要がある。
【００２０】
本発明のスプリングユニットを得るには、まず、環状の座金の一面にスプリングをリング状に配置すると共に各スプリングの一端を固定し、座金の一面に各スプリングがリング状に立ったものとする。この状態で、一面に凸部がリング状に形成されたリテーナを座金の各スプリングの他端側に重ね、各凸部を各スプリングの他端に装着する。装着係止凸部の場合は装着されるスプリングの座巻部の内周円より外側に突出した係止突部をもつ係止接触部を有するため、装着には、係止装着部の１個あるいは全ての係止突部を乗り越える押圧力を必要とする。
【００２１】
装着が完了した状態では、スプリングの座巻部は装着係止凸部の係止接触部の係止突部を全て乗り越え、その座巻部はリテーナの平板部と係止接触部のリテーナの平板部に一番近い係止突部の間（下方谷部）に位置し、このリテーナに一番近い係止突部によりスプリングが抜け出るのを抑制される。スプリングの立上部は、装着係止凸部の係止接触部を滑り、少なくともリテーナに最も遠い係止突部を乗り越える。そして、係止接触部と接触するスプリングの立上部の位置がリテーナに近い場合には、その係止接触部の全ての係止突部を乗り越えるかあるいは最もリテーナに近い係止突部とその次の係止突部の間に位置することになる。この場合、スプリングの立上部は、最もリテーナに近い係止突部かあるいはその次の係止突部によりスプリングが抜け出るのを抑制される。係止接触部と接触するスプリングの立上部の位置がリテーナより遠い場合、その係止接触部の少なくともリテーナに最も遠い係止突部を乗り越える。そして、このスプリングの立上部は、リテーナに最も遠い係止突部とそれに隣接する次にリテーナから遠い係止突部の間に位置することになる。この場合、このスプリングの立上部は、最もリテーナに遠い係止突部によりスプリングが抜け出るのを抑制される。
【００２２】
本発明のスプリングユニットでは、そのスプリングの座巻部は常にリテーナと装着係止凸部の係止接触部の最もリテーナに近い係止突部との間（下方谷部）に保持される。また、スプリングの立上部は、リテーナと装着係止凸部の係止接触部の最もリテーナに近い係止突部との間（下方谷部）あるいは隣接する２つの係止突部の間（上方谷部）に保持される。従って、スプリングが装着係止凸部から抜け出る場合には、同時に少なくとも２つの係止接触部の各係止突部を抜け出ることになり、スプリングの締め代が常に維持される。このためスプリングが装着係止凸部より抜け出るのが効果的に抑制される。
【発明の効果】
【００２３】
本発明のスプリングユニットでは、スプリングの座巻部と立上部はリテーナの装着係止凸部の少なくとも２個の係止接触部がもつ複数の係止突部のいずれか一つの係止突部に係止されている。即ち、スプリングは常に２個の係止突部で係止されている。このためスプリングの締め代がこれら２個の係止突部で常に維持される。このためスプリングが装着係止凸部より抜け出るのが効果的に抑制される。
【図面の簡単な説明】
【００２４】
【図１】本発明の実施例のスプリングユニットが使用される油圧サーボを示す要部縦断面図である。
【図２】同図（ａ）は、本発明の実施例のスプリングユニットの側面図を示し、同図（ｂ）は、本発明の実施例のスプリングユニットのリテーナの一部を示す平面図である。同図（ｃ）は、同図（ｂ）のA−A矢視拡大断面図である。
【図３】同図（ａ）は、本発明の実施例のスプリングユニットのリテーナとスプリングの係止状態を示す要部拡大図である。同図（ｂ）は、同図（ａ）の装着係止凸部とスプリングの装着係止状態を示す拡大断面図である。
【図４】他のリテーナの一部拡大平面図である。
【図５】さらに他のリテーナの一部拡大平面図である。
【図６】さらに他のリテーナの一部拡大平面図である。
【図７】同図（ａ）は、従来のスプリングユニットのリテーナとスプリングの係止状態を示す要部拡大図である。同図（ｂ）は、同図（ａ）の装着係止凸部とスプリングの装着係止状態を示す拡大断面図である。
【図８】同図（ａ）は、従来のスプリングユニットのリテーナとスプリングの他の係止状態を示す要部拡大図である。同図（ｂ）は、同図（ａ）の装着係止凸部とスプリングの装着係止状態を示す拡大断面図である。
【発明を実施するための形態】
【００２５】
発明の実施例を挙げて、本発明をより詳しく説明する。
【００２６】
本実施例のスプリングユニットが使用される多板式クラッチ用油圧サーボ（摩擦係合要素用油圧サーボ）（以下、油圧サーボと称する。）１の要部を図１に示す。この油圧サーボ１は、例えばＦＦ（フロントエンジン・フロントドライブ）車輌に搭載される自動変速機に配設されるものである。この自動変速機は、トルクコンバータ（図示せず）、変速機構（図示せず）、及び油圧制御装置（図示せず）等をハウジングケース及びミッションケース等からなるケース３内に備えて構成されている。また、この変速機構は、入力軸（図示せず）及び多板式クラッチ（図示せず）を含む複数のクラッチやブレーキ、及びプラネタリギヤ等からなる歯車機構等を備えて構成されている。そして、クラッチは、複数の摩擦板１５とを有している。
【００２７】
図１に示すように、油圧サーボ１は、大まかに、シリンダ部２を形成するクラッチドラム４、ピストン部材５及びリテーナ６、スプリング７と座金８よりなるスプリングユニット、キャンセルプレート（支持プレート）９を有する。
【００２８】
ピストン部材５は、概ねクラッチドラム４の形状に合せてｂ方向側に内包される形状に形成されており、上述のシリンダ部２に対向してクラッチドラム４に対してａ−ｂ方向に摺動自在に配設されている。シリンダ部２とピストン部材５との間には、シールリップ１１，１２が配設されており、これらシールリップ１１，１２によってシールされて作動油室１０が形成されている。また、ピストン部材５は、径方向外周側の端部が摩擦板１５を押圧するための押圧部５２として形成されている。つまり上記作動油室１０の油圧に基づき摩擦板１５を押圧し得るように構成されている。また、ピストン部材５のフランジ部４２に対向する部分の外周側には、a方向に対して環状に凹んだ凹部５１が形成されており、詳しくはスプリングユニットのリテーナ６及びスプリング７を取付け得るように構成されている。
【００２９】
スプリング７は、外径Ｄ２、及び内径Ｄ１を有するコイル状のスプリングからなり、上述したピストン部材５とキャンセルプレート９との間に、周方向均等な位置に複数縮設され、該キャンセルプレート９の反力を受けてピストン部材５をシリンダ部２側に付勢している。また、スプリング７の一端部７aは、リテーナ６を介してピストン部材５の凹部５１に係着（着座）されている。さらに、スプリング７の、該一端部７aの反対側の他端部７ｂは、座金８に固定されており、このスプリング７を取付けた座金８がキャンセルプレート９の外周側に係着（着座）されている。
【００３０】
なお、図１に示す油圧サーボはそこに使用されているスプリングユニットを除き公知のものである。
【００３１】
本実施例のスプリングユニットの側面図を図２（ａ）に、そのリテーナの要部拡大図を図２（ｂ）に、さらに、リテーナの装着係止凸部６１をもつ部分の拡大側面図を図２（ｃ）に示す。
【００３２】
リテーナ６は、図２（ｂ）に示すように、中空円状（環状）の平板部よりなる基底部６２と、基底部６２の各スプリング７に対応する位置（つまり、周方向均等な位置）に押圧成形等で形成された複数の装着係止凸部６１及び多数の位置決め用の円筒凸部６３とを有している。なお、リテーナ６の基底部６２は、ピストン部材５の環状の凹部５１の底面に収納される形で係着している。
【００３３】
位置決め用の円筒凸部６３は、従来どおり、スプリング７の内径Ｄ１よりも小径な円筒状で、スプリング７の一端部７ａの内径部に挿入される形で係着できる形状に形成されている。
【００３４】
また、本発明の特色をなす装着係止凸部６１は、着座するスプリング７の着座位置を定めると共にスプリング７の離脱を阻止するものである。装着係止凸部６１は、図２（ｂ）に示すように、基底部６２のスプリング７が着座する部分を略コ字形状に切り、切られていない辺を９０度折り曲げて平板状の方形片として形成したものである。図２（ｂ）のＡ−Ａ矢視部分を拡大して示す図２（ｃ）より明らかなように、この装着係止凸部６１は、その両側端面がいずれも上端から下方の基底部６２方向に、上方係止突部６１１及び下方係止突部６１２をもつ。上方係止突部６１１と下方係止突部６１２の間（上方谷部）及び下方係止突部６１２と基底部６２の間（下方谷部）の部分は谷部となり、波形状となっている。なお、装着係止凸部６１の波形状の側端面をもつ部分が本発明の係止接触部を構成する。
【００３５】
装着係止凸部６１の両方の上方係止突部６１１間の距離（Ｌ１）及び両方の下方係止突部６１２間の距離（Ｌ２）はスプリング７の内径Ｄ１よりも幅広に形成され、両方の谷部間の距離（Ｌ３）はスプリング７の内径Ｄ１よりも幅狭に形成されている。
【００３６】
この油圧サーボ１において、例えば油圧制御装置より作動油室１０に作動油が油路１６を通じて供給され作動油圧が生じると、ピストン部材５がスプリング７の付勢力に反してｂ方向に押圧駆動され、ピストン部材５の押圧部５２が上述した複数の摩擦板１５をｂ方向に押圧し、クラッチが係合状態とされる。また、作動油室１０より作動油圧が油路１６を通じて排出されると、作動油室１０の遠心油圧がキャンセル油室１８の遠心油圧によりキャンセルされると共に、スプリング７の付勢力によってピストン部材５がａ方向に押圧されて、クラッチは解放状態とされる。
【００３７】
油圧サーボ１を組立てる際には、例えば、上述の座金８に全てのスプリング７の一端を固定し取付けておく。そして、ピストン部材５及びリテーナ６が載置されているクラッチドラム４に、上方より座金８及びスプリング７のセットを載置・挿入していき、目視によりスプリング７の一端部７ａとリテーナ６の装着係止凸部６１及び円筒凸部６３との周方向位置を位置合わせしつつ、リテーナ６と全てのスプリング７を係着させる。
【００３８】
なお、リテーナ６の装着係止凸部６１にスプリング７の一端部７ａが装着係止するためには、スプリング７の一端部７ａは、装着係止凸部６１の上方係止突部６１１、６１１、下方係止突部６１２、６１２を乗り越える形で係着することになる。スプリング７の一端部７ａの内径Ｄ１よりも両上方係止突部６１１間の幅（Ｌ１）及び両下方係止突部６１２間の幅（Ｌ２）の方が大きいので、スプリング７の一端部７ａは、撓ませ（広がり）ながらリテーナ６の装着係止凸部６１の上方係止突部６１１、６１１及び下方係止突部６１２、６１２を乗り越えて装着される。円筒凸部６３の外周径はスプリング７の一端部７ａの内径Ｄ１よりも小さいため、円筒凸部６３にはスプリング７の一端部７ａがそのまま包み込むように装着される。このようにしてスプリング７がリテーナ６の基底部６２に当接して組付けされる。
【００３９】
係着させた装着係止凸部６１とスプリング７の一端部７ａを装着係止凸部６１の一側端面に向かって見た図３（ａ）及びそこから９０度回転した位置での係止状態を拡大して見た図３（ｂ）を示す。この係止状態は、スプリング７の一端部７ａの座巻部７２がリテーナ６の一面と装着係止凸部６１の一方の係止接触部の下方係止突部６１２との間に位置し、スプリング７の一端部７ａの立上部７１が装着係止凸部６１の他方の係止接触部の下方係止突部６１２と上方係止突部６１１との間に位置している。
【００４０】
この状態でスプリング７がリテーナ６の装着係止凸部６１から抜け出る場合を考える。まず、スプリング７の座巻部７２及び立上部７１が共にその上側にある下方係止突部６１２及び上方係止突部６１１で上方への移動が規制されている。このためスプリング７がリテーナ６の装着係止凸部６１から抜け出るためには、スプリング７の座巻部７２及び立上部７１の少なくとも一方が下方係止突部６１２又は上方係止突部６１１を超えなければならず、超える際に超える方の座巻部７２及び立上部７１は弾性的に大きく内周径が大きく変形する必要がある。即ち、スプリング７の締め代が機能する。このためスプリング７が装着係止凸部６１から容易に離脱することができない。
【００４１】
以上のように車両用自動変速機の伝達経路を形成する摩擦係合要素用の油圧サーボに用いられる本実施例のスプリングユニットは、そのリテーナ６の複数の凸部６１，６３のうちの装着係止凸部６１が基底部６２の所定部分に切れ目を入れて立ち上げた方形片で形成されている。この方形片の両側端部が本発明の２個の係止接触部を構成し、各係止接触部にスプリング７の内径部が係止される２個の係止突部である上方係止突部６１１及び下方係止突部６１２が形成されている。リテーナ６の装着係止凸部６１に装着係止されたスプリング７は、その装着係止位置がスプリング７の一端部７ａの座巻部７２及び立上部７１のいずれであっても、座巻部７２は下方係止突部６１２により係止され、立上部７１は上方係止突部６１１又は下方係止突部６１２のいずれかに係止される。そして、スプリング７の一端部７ａが装着係止凸部６１の上方係止突部６１１、下方係止突部６１２を抜け出るためには、スプリング７の一端部７ａは弾性的な変形を必要とし、スプリングの締め代が機能する。このためスプリング７はリテーナ６より容易に離脱できなくなる。
【００４２】
なお、本実施例のスプリングユニットは、予め、座金８、スプリング７及びリテーナ６を一体的に組み付けた状態とすることができる。組み付けられたスプリングユニットを油圧サーボ１に組み付ける際に、例えば衝撃等が生じた場合にも、スプリング７とリテーナ６と離脱が容易に起こらないようになっているため、スプリング７の位置ずれ、若しくはスプリング７がリテーナ６から外れてしまう等の不都合を効果的に防ぐことができる。
【００４３】
また、リテーナに備えられる装着係止凸部の数は１つ又は２つ以上あるいは全ての凸部を装着係止凸部とすることもできる。
【００４４】
また、リテーナの装着係止凸部がもつ係止接触部の数は２つ以上でも構わない。
【００４５】
なお、本実施例のリテーナ６の装着係止凸部６１は参考例として、図４，図５及び図６に示す装着係止凸部を採用することもできる。図４の装着係止凸部は、２個の小さい方形片で構成したもので、立ち上げた各小さい方形辺の背向する側端部が本発明の係止接触部を形成している。図５の装着係止凸部は、実施例の装着係止凸部６１の立ち上げ方向を９０度回転させたものである。図６の装着係止凸部は３個の小さい方形片で構成されている。各方形片の両側端部が本発明の係止接触部となっている。
【符号の説明】
【００４６】
６：スプリングリテーナ      ６１：装着係止凸部      ６２：基底部  
６３：円筒凸部      ６１１：上方係止突部      ６１２：下方係止突部  
６１３：支持脚部    ７：スプリング    ７ａ：一端部      
７１：立上部        ７２：座巻部      ８：座金
【図１】
0005325320.tif 000002
【図２】
0005325320.tif 000003
【図３】
0005325320.tif 000004
【図４】
0005325320.tif 000005
【図５】
0005325320.tif 000006
【図６】
0005325320.tif 000007
【図７】
0005325320.tif 000008
【図８】
0005325320.tif 000009